(57)【要約】本発明は、机の上等の平面上に載置される土台部と、その土台部に立設した立設部と、その立設部に回動自在に支持されてその立設部に対し開閉する開閉部とを備え、電子回路を内蔵した電子機器に関し、重量の適性配分を図ることを目的とし、土台部がこの電子機器内部の電子回路に電力を供給するバッテリパックを格納するバッテリパック格納部を有する。
2004099958.tif 000002
【特許請求の範囲】
【請求項１】
平面上に載置される土台部と、該土台部に立設した立設部と、該立設部に回動自在に支持され該立設部に対し開閉する開閉部とを備え、電子回路を内蔵した電子機器において、
前記土台部が、前記電子回路に電力を供給するバッテリパックを格納するバッテリパック格納部を有することを特徴とする電子機器。
【請求項２】
前記バッテリパック格納部は、前記土台部の、平面上に載置される底面が抉られた形状の凹部からなるものであることを特徴とする請求項１記載の電子機器。
【請求項３】
前記底面は、前記凹部に格納されたバッテリパックと一体的に、平面上に載置される面を成すものであることを特徴とする請求項２記載の電子機器。
【請求項４】
前記立設部は、前記開閉部が開閉する前面に表示画面を備えたものであることを特徴とする請求項１記載の電子機器。
【請求項５】
前記立設部は、前記土台部に回動自在に支持されることにより前記表示画面の仰角の調整が自在なものであることを特徴とする請求項４記載の電子機器。
【請求項６】
前記立設部は、前記表示画面背面側に演算回路を備えたものであることを特徴とする請求項４記載の電子機器。
【請求項７】
前記開閉部は、前記表示画面に重なった閉状態と該表示画面から開いた開状態との間で回動自在に前記立設部に支持されたものであることを特徴とする請求項４記載の電子機器。
【請求項８】
前記開閉部は、オペレータの操作を受けるキーが配列されたキーボードであることを特徴とする請求項１記載の電子機器。
【発明の詳細な説明】
【技術分野】  本発明は、机の上等の平面上に載置される土台部と、その土台部に立設した立設部と、その立設部に回動自在に支持されてその立設部に対し開閉する開閉部とを備え、電子回路を内蔵した電子機器に関する。
【背景技術】  従来より、様々なタイプの電子機器が開発され広く普及している。ここでは、その中で、情報演算機能を備えたパーソナルコンピュータ（以下、「パソコン」と略記する）を例に挙げて説明する。
パソコンには、ＣＰＵやハードディスク等を備えた、演算処理を行なう本体装置、画像を表示する表示画面を有する画像表示装置、およびキー操作を行なうためのキーボードなどがそれぞれ別々の筐体として構成された据置きタイプのパソコンのほか、表示画面を有する画像表示部と、演算処理を行なうＣＰＵや情報を記憶しておくハードディスク等を内蔵するとともに上面にキーが配列されてキーボードとしての役割りも成す本体部とがヒンジを介して連結された可搬タイプのノート型パソコンと称されるパソコンも広く普及している。
このノート型パソコンは、ヒンジを介して、表示部と本体部と２つ折りにして重ねた状態とすることができ、持ち運ぶのに便利であるとともに、表示部と本体部とを開くことにより表示画面を見ながらキー操作を行なうことができ、良好な操作性も兼ね備えている。
このノート型パソコンは、携帯性を重視し折り畳んだときに薄型に構成することを重視しているために据置きタイプのパソコンと比べ機能面でかなりの犠牲が強いられている。またノート型パソコンであっても持ち運ばずに普段は据置きタイプのパソコンと同様に机の上等に置いたまま使用している例も多いことから、近年では、ノート型パソコンほどではないにしろある程度の持ち運び適性を持たせながら機能面を充実させた一体型パソコンも登場してきている。この一体型パソコンは、典型的には、机の上などの平面上に置かれる土台部と、その土台部に支持されて立設された、表示画面を備えた立設部と、その立設部にヒンジを介して取り付けられ、その立設部に対し開閉するキーボードとから構成されている。この一体型のパソコンの場合、不使用時にはキーボードを立設部に重なるように立てかけることにより机の上にスペースを確保することができ、一体型であるため持ち運ぶことも容易である。
このようなノート型パソコンや一体型パソコンには、上記のようにヒンジを備えたものが多く、不使用時にコンパクトに収納したり、持ち運ぶときの便宜が図られている（例えば、特許文献１、２参照）。
ノート型パソコンの場合、上面にキーボードが配置された本体部にハードディスクやＣＤドライブ等の重量のある部品が配置され、さらにノート型パソコンの場合、携帯性を重視することから、本体部に重量のあるバッテリパックを装着できるように構成されており（例えば特許文献３参照）、バッテリパックを装着しておくことによりＡＣ電源を利用できない環境下においてもそのバッテリパックに電力が残っている暫らくの間は、そのノート型パソコンを動作させることができる。
これに対し、一体型パソコンの場合、携帯性向上のためにノート型パソコンと同様にバッテリパックを装着できるように構成することが考えられるが、キーボードは、立設部に対し折り畳まれて立設した状態となるため、ノート型パソコンのようにキーボードを備えた筐体にバッテリパックを装填するとキーボードの重量が大幅に増加し、開閉動作や立設部に重ねられた閉状態に安定的に保持することが難しくなるなど、好ましくない。ノート型パソコンにおいて開閉動作を行なっても重心位置が変化しないように工夫することも提案されているが（特許文献４参照）、そのための特別な機構を必要とし、機構が複雑化し、機能の凝縮、小型化、軽量化の要請に反することになる。
【特許文献１】        特開平１０−１１１８９号公報
【特許文献２】        特開平１１−２１２６６５号公報
【特許文献３】        特開平４−１２３２１３号公報
【特許文献４】        特開平１０−１３３７７２号公報
本発明は、上記事情に鑑み、重量の適性配分が図られた、上記の一体型パソコン等の電子機器を提供することを目的とする。
【発明の開示】
上記目的を達成する本発明の電子機器は、平面上に載置される土台部と、その土台部に立設した立設部と、その立設部に回動自在に支持されその立設部に対し開閉する開閉部とを備え、電子回路を内蔵した電子機器において、
土台部が、電子回路に電力を供給するバッテリパックを格納するバッテリパック格納部を有することを特徴とする。
本発明の電子機器は、バッテリパックを土台部に格納して土台部に重量を持たせることを特徴とし、これにより、例えばＣＤやＤＶＤをアクセスする、ある程度の重量のあるドライブを立設部に設け、ユーザによるＣＤやＤＶＤの装填や取出しの操作をし易くするなど、操作性やデザインを考慮した部品配置が可能となる。
また、このような形態の電子機器においても、ＡＣ電源に頼ることなく、好きな場所に持ち運んでバッテリパックにより利用することが可能となる。
ここで、上記本発明の電子機器において、上記バッテリパック格納部は、土台部の、平面上に載置される底面が抉られた形状の凹部からなるものであることが好ましい。
バッテリパックは一度装着すれば頻繁には取り替える必要はないが、取り替える際には、かなり重量のあるバッテリパックを取り扱うことになる。バッテリパックを土台部の底面から装着、取り出しを行なうことができるように構成しておくと、取り替えが容易となる。また、土台部底面は平面上に置かれる使用状態では隠れた所にあり、土台部の目に見える上部や側部のデザインを向上させることができる。
また、バッテリパックを土台部の底面から装着するように構成した場合、その底面は、バッテリパック格納部に格納されたバッテリパックと一体的に、平面上に載置される面を成すものであることが好ましい。
こうすることにより、そのバッテリパック格納部を覆う蓋を不要とし、その分、土台部をコンパクトに構成することができるとともに、水平面上に一層安定的に載置させることになる。
また、上記本発明の電子機器において、上記立設部は、上記開閉部が開閉する前面に表示画面を備えたものであることが好ましく、その場合に、上記立設部は、土台部に回動自在に支持されることにより表示画面の仰角の調整が自在なものであることが好ましく、さらに、上記立設部は、表示画面背面側に演算回路を備えたものであってもよい。
さらに、上記開閉部は、表示画面に重なった閉状態と表示画面から開いた開状態との間で回動自在に立設部に支持されたものであることが好ましい。
上記開閉部は、オペレータの操作を受けるキーが配列されたキーボードであってもよい。
【図面の簡単な説明】  図１は、本発明の電子機器の一実施形態である一体型パソコンの開状態の外観を示す斜視図である。
図２は、本発明の電子機器の一実施形態である一体型パソコンの閉状態の外観を示す斜視図である。
図３は、ヒンジユニットからキーボードが取り外された状態を示す斜視図である。
図４は、ヒンジユニットを立設部から取り外して示した斜視図である。
図５は、図１〜図４に示す、一体型パソコンの土台部の底面を示す斜視図である。
図６は、バッテリパックが取り出された状態の土台部の底面を示す斜視図である。
図７はバッテリパックの斜視図である。
図８は、一体型パソコンの回路ブロック図である。
図９は、キーボードの回路ブロック図である。
図１０は、マウスの回路ブロック図である。
【発明を実施するための最良の形態】  以下、本発明の実施形態について説明する。
ここでは、本発明の電子機器の一実施形態として前述した一体型パソコンを例に挙げて説明する。
図１、図２は、本発明の電子機器の一実施形態である一体型パソコンの、それぞれ開状態、閉状態の外観を示す斜視図である。
この一体型パソコン１００は、土台部１１０、立設部１２０、ヒンジユニット１３０、キーボード１４０、およびマウス１５０から構成されている。
土台部１１０は、机の上等の水平面上に載置される土台を成す部分であり、この土台部１１０には、バッテリパック（図８参照。後述する）が装填されるとともに、図８に示すようにＡＣアダプタ接続端子１１１、テレビアンテナと接続されるアンテナ入力端子１１２、オーディオ入力端子１１３Ｒ，１１３Ｌ、Ｓビデオ入力端子１１４、ビデオ入力端子１１５を備えており、さらにその土台部１１０の上部には、ウーファ１１６を備えている。
また、立設部１２０は、図示のように土台部１１０に立設した状態に支持されたものであり、その前面に液晶表示画面１２１を有する。この立設部１２０は、土台部１１０に対し、ある角度回動するように軸支されており、液晶表示画面１２１の仰角を調整できるようになっている。また、この立設部１２０には、その表示画面１２１の背面側に、ＣＰＵやハードディスク等、コンピュータとしての主たる演算機能部分が搭載されており、外観上図１に示されているものとして、ＣＤやＤＶＤが装填されるＣＤ／ＤＶＤ装填口１２２、ヘッドホンジャックが差し込まれるヘッドホン出力端子１２３、マイクロホンのジャックが差し込まれるマイクロホン入力端子１２４、ＩＥＥＥ１３９４の通信規格に準拠した通信ケーブルのコネクタが差し込まれるコネクタ端子１２５、ＵＳＢの通信規格に準拠した通信ケーブルのコネクタが差し込まれる３つのコネクタ端子１２６、左右２つのスピーカ１２７、および、左右下部に１つずつ、上部に１つの合計３つの赤外線受信部１２８が備えられている。この赤外線受信部１２８は、後述するキーボード１４０やマウス１５０から発せられる通信用の赤外線を受信するためのものである。
また、ヒンジユニット１３０には５つのワンタッチボタン１３１が備えられており、ヒンジユニット１３０にはそれらのワンタッチボタン１３１の操作を検出して立設部に伝える回路が搭載された回路基板が内蔵されている。
これら５つのワンタッチボタン１３１には、それぞれに、例えばあるワンタッチボタンを押すとインタネット用のプログラムが起動されるなど、各ファンクションを対応づけることができる。
また、このヒンジユニット１３０は、キーボード１４０を着脱自在に支持するものであって、ヒンジユニット１３０には、このヒンジユニット１３０に装着されているキーボード１４０をヒンジユニット１３０から取り外すための取外し操作ボタン１３２が備えられている。
図３は、ヒンジユニット１３０からキーボード１４０が取り外された状態を示す斜視図である。
ヒンジユニット１３０には、図３に示すように、左右に延びキーボード１４０を啣えるスリット形状のキーボード啣込部１３４が形成されており、キーボード１４０を図３に示す姿勢のままヒンジユニット１３０のキーボード啣込部１３４に嵌め込むとキーボード１４０が図１に示すようにヒンジユニット１３０に装着され、取外し操作ボタン１３２を図１に示す矢印Ａ方向にスライド操作するとキーボード１４０とヒンジユニット１３０との間の係合が外れ、キーボード１４０を図１に示す矢印Ｂ方向に引くことにより、キーボード１４０がヒンジユニット１３０から図３に示すように取り外される。
図４は、ヒンジユニットを立設部から取り外して示した斜視図である。
ヒンジユニット１３０は、立設部１２０に設けられた支持軸１２９に軸支され、その支持軸１２９の回わりに回動自在であって、ヒンジユニット１３０に装着されたキーボード１４０を、図２に示す、キーボード１４０が立設部１２０に重なり液晶表示画面１２１を蔽った閉状態と、図１に示す、立設部１２０から開き液晶表示画面１２１全面を露出させた開状態との間で回動させるようになっている。
また、ヒンジユニット１３０には、ヒンジユニット１３０が図１に示す開状態にあるかあるいは図２に示す閉状態にあるかを検出するヒンジユニット開閉検出スイッチ１３３（図１参照）、および、キーボード１４０が図１に示すようにヒンジユニット１３０に装着されているかあるいは図３に示すようにヒンジユニット１３０からキーボード１４０が取り外されているかを検出するキーボード検出スイッチ１５１（図示せず）が備えられている。ヒンジユニット１３０に内蔵された回路基板上の回路では、５つのワンタッチキー１３１の押下の検出のほか、ヒンジユニット開閉検出スイッチ１３３やキーボード検出スイッチ１５１のオン／オフも検出される。
尚、立設部１２０には、ゴム等の弾性体からなる受け部１６２（図１参照）が設けられている。この受け部１６２は、図２に示すように折り畳まれたときにヒンジユニット１３０の当接を柔軟に受け止めるためのものである。
また、キーボード１４０にはキー操作を受ける多数のキー（図示省略）が配列されていることのほか、キー操作情報を送信する赤外線送信部１４１およびこの一体型パソコン１００をサスペンド状態から立ち上げるためのサスペンドボタン１４２を備えている。キーボード１４１の赤外線送信部１４１から送信されたキー操作情報は、立設部１２０に設けられた赤外線受信部１２８で受信される。
マウス１５０にも、マウス１５０の操作情報を送信する赤外線送信部（ここでは図示なし）が備えられており、その赤外線送信部１５０から送信されたマウス操作情報も、立設部１２０の赤外線受信部１２８で受信される。
ここで、キーボード１４０の寸法は、左右方向に関しては立設部１２０とほぼ同一であるが、図１の奥行き方向（図２に示す閉状態における上下方向）に関しては立設部１２０よりも短かく、このため、図２に示す閉状態では、キーボード１４０は立設部１２０の表示画面１２１の一部を蔽うにとどまり、図２の閉状態においても表示画面１２１の上側約１／３の領域は露出したままの状態となっている。
図５は、図１〜図４に示す、一体型パソコンの土台部の底面を示す斜視図である。
土台部１１０の底面１１７には、机の上などの水平面上に載置されたときのクッションとなる、ゴム等の材料で構成されたクッション部品１１８が３箇所に配置されており、さらにラベル１１９が貼付されている。さらに、その土台部１１０の底面１１７には、バッテリパック５００が、そのバッテリパック５００の底面５０１が土台部１１０の底面１１７と同一平面を成すように装填されている。
図６は、バッテリパックが取り出された状態の土台部の底面を示す斜視図、図７はバッテリパックの斜視図である。
土台部１１０の底面１１７には、その底面１１７が抉られた形状の凹部からなるバッテリパック格納部５２１が形成されており、そのバッテリパック格納部５２１を区画する横壁に、バッテリパックと土台部１１０の内部の回路とを電気的に繋ぐ電気接点部５２２が設けられている。
図７に示すバッテリパック５００は、その上面５０３を内側にしてバッテリパック格納部５２１に装填され、バッテリパック５００の電気接点部５０２がバッテリパック格納部５２１の電気接点部５２２に電気的に繋がるように構成されている。
バッテリパック５００はかなりの重量を有する部品であり、このバッテリパック５００を図６，図７に示すように土台部１１０に装着することで、土台部１１０の重量が増し、この一体型パソコンは、土台部１１０で安定的にその姿勢を保つことができる。また、この土台部１１０にバッテリパック５００を装着し土台部１１０をかなり重量のあるものとしたことにより、立設部１２０の、液晶表示画面１２１の背後にＣＤ／ＤＶＤドライブやハードディスクなどかなり重量のある部品を配置しても安定性が保たれ、操作性の向上や部品配置上の自由度が確保される。また、このような形態の一体型パソコンにおいても、ＡＣ電源に頼ることなく、好きな場所に持ち運んでバッテリパック５００により利用することが可能となる。
図８は、これまで説明してきた実施形態の一体型パソコン１００の回路ブロック図である。
この図８に示す本体部２００は、図１〜図７に示す土台部１１０と立設部１２０とを合わせた部分であり、この本体部２００には、ＣＰＵ２０１、ＲＡＭ２０２、メモリカードコントローラ２０３、オーディオコントローラ２０４、テレビチューナ２０５、メモリカード２０６、液晶表示部２０７、ＲＯＭ２０８、モデムカード２０９、ＬＡＮ制御部２１０、およびディスクコントローラ２１１、さらに、図１にも示した赤外線受信部１２８や、ＩＥＥＥ１３９４規格に準拠したコネクタ端子１２５や、ＵＳＢ規格に準拠したコネクタ端子１２６が備えられており、それらはバス２２０を介して相互に接続されている。
ＣＰＵ２０１は、プログラムを実行することにより各種の演算処理を行なう要素である。
ＲＡＭ２０２は、ＣＰＵ２０１で実行されるプログラムが実行のために展開され、また、ＣＰＵ２０１でのプログラム実行中における作業用として使用されるメモリである。
メモリカードコントローラ２０３は、メモリカード２０６をアクセスするコントローラである。
オーディオコントローラ２０４は、ヘッドホン出力端子１２３、マイクロホン入力端子１２４、およびスピーカ１２７に接続され、マイクロホン入力端子１２４から入力されてきた音声信号をディジタル信号に変換して内部に取り込んだり、バス２２０を経由して送られてきたディジタル信号をアナログの音声信号に変換してスピーカ１２７やヘッドホン出力端子１２３に伝える役割りを担っている。
また、赤外線受信部１２８は、前述したとおり、キーボード１４０やマウス１５０の操作情報を受信するためのものである。
また、テレビチューナ２０５は、アンテナ入力端子１１２、オーディオ入力端子１１３Ｒ，１１３Ｌ、Ｓビデオ入力端子１１４、およびビデオ入力端子１１５に接続されており、テレビ放送やビデオ録画、再生等を担う要素である。
さらに、メモリカード２０６は、この一体型パソコンに挿抜自在に挿入される可搬型のメモリカード、例えばメモリスティックやＳＤメモリカード等である。このメモリカード２０６は、メモリカードコントローラ２０３によりアクセスされる。
液晶表示部（ＬＣＤ）２０７は、図１に示す液晶表示画面１２１を備えたものであり、ＣＰＵ２０１の指示に応じてその液晶表示画面１２１上に様々な画像を表示する役割りを担っている。
また、ＲＯＭ２０８は、固定的なデータやプログラムを記憶しておく記憶要素である。
また、モデムカード２０９は、一種の通信を担う要素であり、通信コネクタ２１６に接続されている。
また、ＬＡＮ制御部２１０も、一種の通信を担う要素であり、通信コネクタ２１７に接続されている。
さらに、ディスクコントローラ２１１は、本体部２００に内蔵されているハードディスク２１２や、図１に示すＣＤ／ＤＶＤ装填口１２２から装填されたＣＤやＤＶＤ２１３をアクセスする役割りを担っている。
さらに、ＡＣアダプタ接続端子１１１には、コンセント３１１と交流電力を直流電力に変換するＡＣ／ＤＣ変換回路３１２を備えたＡＣアダプタ３１０が差し込まれる。本体部２００には、バッテリパック５００とＤＣ／ＤＣコンバータ２１５が備えられており、ＡＣアダプタ接続端子１１１にＡＣアダプタ３１０が差し込まれてそのＡＣアダプタ３１０から電力が供給されると、バッテリパック５００はその供給された電力で充電され、またＤＣ／ＤＣコンバータ２１５は、その供給されてきた電力から複数の電圧の直流電力を生成して、それらの直流電力を、この一体型パソコン内の、電力を必要とする各部に供給する。また、ＡＣアダプタ接続端子１１１からＡＣアダプタ３１０が抜かれるなど、ＡＣアダプタ接続端子１１１から電力が供給されなくなると、ＤＣ／ＤＣコンバータ２１５はバッテリパック５００から電力の供給を受ける。したがって、この一体型パソコンは、バッテリパック５００に電力が残っている間は、ＡＣアダプタなしでも動作することができる。
また、図８の下部に示すヒンジユニット１３０には、これまでにも説明してきたワンタッチボタン１３１、ヒンジユニット開閉検出スイッチ１３３、およびキーボード検出スイッチ１５１に加え、バス２２０に接続されたヒンジユニット回路基板２３１が示されている。このヒンジユニット回路基板２３１は、ワンタッチボタン１３１の操作や、ヒンジユニット開閉スイッチ１３３やキーボード検出スイッチ１５１のオン、オフを検出してＣＰＵ２０１に伝える役割りを担っている。
図９は、キーボードの回路ブロック図である。
キーボード１４０には、多数のキーが配列されてなる配列キー２４１と、それら配列キー２４１の操作を検出するキー操作検出部２４２と、そのキー操作検出部２４２により検出されたキー操作情報を送信する赤外線送信部１４１が備えられている。前述したように、この赤外線送信部１４１から送信されたキー操作情報は本体部２００の赤外線受信部１２８（図８参照）により受信されてＣＰＵ２０１に伝えられる。
図１０は、マウスの回路ブロック図である。
マウス１５０には、操作子としてのボールやボタン２１５が備えられており、それらのボールやボタンの操作がボール／ボタン操作検出部２５２で検出され、そのボール／ボタン操作検出部２５２で検出されたマウス操作情報が赤外線送信部１５１から送信される。これも前述したように、この赤外線送信部１５１から送信されたマウス操作情報は本体部２００（図８参照）の赤外線受信部１２８により受信されてＣＰＵ２０１に伝えられる。
以上の各実施形態は、一体型パソコンの例であるが、本発明は、一体型パソコンのみでなく、その他、上述の土台部、立設部、および開閉部を備えた構成の各種の電子機器に適用することができる。
【図１】
2004099958.tif 000003
【図２】
2004099958.tif 000004
【図３】
2004099958.tif 000005
【図４】
2004099958.tif 000006
【図５】
2004099958.tif 000007
【図６】
2004099958.tif 000008
【図７】
2004099958.tif 000009
【図８】
2004099958.tif 000010
【図９】
2004099958.tif 000011
【図１０】
2004099958.tif 000012
【国際調査報告】
2004099958.tif 000013
2004099958.tif 000014
2004099958.tif 000015
2004099958.tif 000016